(57)【特許請求の範囲】
【請求項１】
被写体の動画像を撮像するカメラを備えた携帯電話装置であって、
発光ダイオードを用いて被写体を照光する照明手段と、
該照明手段を発光させるスイッチ手段と、
前記照明手段から放射される光を被写体に向けて集光させる配光レンズとを備え、
該配光レンズを保護するための透明カバーを、前記照明手段の被写体側となる前面側に設けるとともに、
前記配光レンズは、前記照明手段に取り付けて前記配光レンズを支持する支持手段を有すること
を特徴とするカメラ付き携帯電話装置。
【請求項２】
前記透明カバーに集光機能を有する凸レンズ面を設けること
を特徴とする請求項１に記載のカメラ付き携帯電話装置。
【請求項３】
前記照明手段は、
前記発光ダイオードの被写体側である前面側に、前面から後面への光透過率が後面から前面への光透過率よりも少ない膜状体を有すること
を特徴とする請求項１又は２に記載のカメラ付き携帯電話装置。
【請求項４】
前記照明手段は、
前記発光ダイオードを、印刷回路基板上に直接に取り付けられ、
前記印刷回路基板の前記発光ダイオードが取り付けられる面の少なくとも該発光ダイオードの周辺部に、高反射率の表面を有する反射部を設けると共に、
該反射部は、前記発光ダイオードの側面部の少なくとも一部を囲む形状であり、被写体側の表面を高反射率とした構造体を前記印刷回路基板上に固定して形成されること
を特徴とする請求項１から３のいずれか１項に記載のカメラ付き携帯電話装置。
【請求項５】
前記反射部の構造体は、
高反射率である白色、黄色、銀色あるいは金色の樹脂を用いて成形されること
を特徴とする請求項４に記載のカメラ付き携帯電話装置。
【請求項６】
前記反射部の構造体は、
少なくとも被写体側の表面を高反射率である白色、黄色、銀色あるいは金色に塗装すること
を特徴とする請求項４に記載のカメラ付き携帯電話装置。
【請求項７】
前記反射部の構造体は、
少なくとも被写体側の表面に金属の皮膜を蒸着または塗着させること
を特徴とする請求項４に記載のカメラ付き携帯電話装置。
【請求項８】
前記照明手段は、
前記カメラ付き携帯電話装置と電気的接続及び機械的接続が可能であるプラグ部を有し、
前記カメラ付き携帯電話装置本体には、
前記プラグ部を脱着可能に接続するジャック部を有すること
を特徴とする請求項１から７のいずれか１項に記載のカメラ付き携帯電話装置。
【請求項９】
請求項１から７のいずれか１項に記載されたカメラ付き携帯電話装置における照明手段の構成を有すると共に、
請求項８に記載されたカメラ付き携帯電話装置における照明手段のジャック部と電気的接続及び機械的接続が可能であるプラグ部を有すること
を特徴とするカメラ用照明装置。
【発明の詳細な説明】
【技術分野】
【０００１】
本発明は、固体撮像素子により動画像を撮影するカメラを備えた携帯電話装置に関し、特に、夜間等の照度の足りない場合に使用される照明手段を設けたカメラ付き携帯電話装置に関するものである。
【背景技術】
【０００２】
近年になり、静止画カメラ付きの携帯電話装置が製品化されているが、撮像素子やレンズの大きさが限られており、携帯電話装置の寸法も大きくできないので、暗い場所では、被写体の撮影が難しかった。そのため、暗い場所でも被写体を撮影できるように、一般的なカメラに使用されているストロボを静止画カメラ付きの携帯電話に内蔵させることや、外付けのストロボを静止画カメラ付きの携帯電話に接続することが知られている。
【０００３】
例えば、特開２００１−３２０６２２号公報には、ストロボ装置をカメラ付き携帯電話装置の本体に内蔵させる場合の従来例が示されている。上記公報では、カメラ付き携帯電話装置の液晶ディスプレイの上部に、静止画カメラの撮像素子とキセノン管等を用いたストロボ装置が横一列に並んで設けられている。
【０００４】
上記公報中で示されたストロボ装置では、ストロボ放電管から放出された光は、ストロボ放電管の後方に設けられた反射傘により前方に集光され、ストロボ放電管を保護するために前面に設けられた透明カバーを透過して被写体に照射される。透明カバーは、透光性の材質で板状に形成され、表面は平坦であるか、配光のための模様が形成される。
【０００５】
ストロボ放電管および反射傘は、カメラ付き携帯電話装置の主基板に取り付けられており、ストロボ発光時の大電流による発生する電磁雑音を減少させるために電磁シールド枠体が設けられている。また、主基板の裏面には、ストロボを発光させるための充電用に大型のコンデンサが配置されている。
【０００６】
従来のストロボ装置を備えたカメラ付き携帯電話装置は、上記した各部材を用いてストロボ装置を発光させることにより、ストロボ発光時の電磁雑音の影響を抑え込みながら、暗い場所でも被写体の静止画を撮影することができた。
【発明の開示】
【発明が解決しようとする課題】
【０００７】
しかしながら、上記した従来のカメラ付き携帯電話装置では、キセノン管、反射傘、充電用の大型コンデンサ等、携帯電話装置に使用する部品としては比較的大きな部品を使用する必要があり、携帯電話装置の使用者による小型化、軽量化および薄型化の要望に反するという問題があった。
【０００８】
また、携帯電話装置のカメラとしては、静止画だけでなく動画も撮影できるビデオカメラのものが知られるようになった。ビデオカメラの場合には、短時間発光のストロボ装置では夜間等の暗い場所の撮影に対応できないため、連続発光するライトが必要であるが、従来は連続発光ライト付きの携帯電話装置は無いという問題があった。
【０００９】
また、薄型化の要望があるため、上記した従来のカメラ付き携帯電話装置にストロボ装置を追加する場合は、透明カバーに近接してキセノン管および反射傘を配置する必要がある。従って、従来のカメラ付き携帯電話装置にストロボ装置を追加すると、キセノン管が視認されやすくなり、外観上好ましくないという問題がある。
【００１０】
従って、本発明は、上述した従来の問題を解決するためになされたものであって、携帯電話装置の小型化、軽量化および薄型化の要望を満足したままで、連続発光できるライトを付加したカメラ付き携帯電話装置を提供することを目的としている。
【課題を解決するための手段】
【００１１】
本発明のカメラ付き携帯電話装置は、
被写体の動画像を撮像するカメラを備えた携帯電話装置であって、
発光ダイオードを用いて被写体を照光する照明手段と、
照明手段を発光させるスイッチ手段と、
照明手段から放射される光を被写体に向けて集光させる配光レンズとを備え、
配光レンズを保護するための透明カバーを、照明手段の被写体側となる前面側に設けるとともに、
配光レンズは、照明手段に取り付けて配光レンズを支持する支持手段を有すること
としたものである。
【発明の効果】
【００１２】
このことによって、携帯電話装置の小型化、軽量化および薄型化を進めることができることに加え、カメラによる動画撮影時に、被写体をライトで連続的に照明することができる。さらに、配光レンズの光軸と発光ダイオードの発光点との位置関係の精度を向上させることができる。
【発明を実施するための最良の形態】
【００１３】
以下、本発明を図示した実施形態に基づいて説明する。
【００１４】
実施の形態１
図１は、本発明の実施の形態１であるカメラ付き携帯電話装置の外観形状を示す図である。
【００１５】
同図において、１は、本実施形態のカメラ付き携帯電話装置の全体を示し、１１は、携帯電話装置の筐体を示し、１２は、高輝度で発光する発光ダイオード（ＬＥＤ）を用いて被写体を連続して照光するライト（ビデオライト）を示す。１３は、ＣＣＤ等の撮像素子と光学レンズを有して静止画に加えて動画も撮影できるカメラである。１４は、操作情報、文字情報、あるいは、カメラで撮影された画像を表示するために矩形状に設けられる液晶等のディスプレイ（表示手段）である。１５は、電話番号、文字、画像データの指定、選択を実行する入力キー（ボタン）群であり、照明手段１２を発光（オン）させる照光スイッチ（スイッチ手段）を含んでいる。１６は、無線により音声データおよび画像データの送受信を実施するアンテナであり、１７は、携帯電話装置のスピーカ等の音声出力孔であり、１８は、マイクロホン等の音声入力孔である。２１は、照明手段であるライト１２をオン／オフするためのスイッチである。
【００１６】
携帯電話装置の筐体１１は、一般的に縦長の箱形状、または、使用時には開き、待機時には２重に折り畳む折り畳み形状であるが、図１では箱形状の場合を示している。箱形状の場合には、前面中央部の上方にディスプレイ１４が配置され、折り畳み形状の場合には、折り畳まれる内面の一方にディスプレイ１４が配置され、他方に入力キー群１５が配置される。
【００１７】
ディスプレイ１４の上方には、カメラ１３とライト１２が近傍になるように横に並んで設けられる。本実施形態ではカメラ１３とライト１２は、ライト発光時に被写体に不自然な影が発生することを防止するため、近接して設けられる。
【００１８】
図２は、図１のライト１２の構成を示す断面図である。
同図において、上記したように、１１は、携帯電話装置１の筐体であり、１２は、ライトである。３１は、電子回路用の回路基板であり、通常は携帯電話装置の主回路基板である。３２は、高輝度で発光することで被写体を照光する発光ダイオード（照明手段）であり、発光色としては白色が用いられる。本実施の形態１では、白色光の発光ダイオード３２が、回路基板３１の上に直接に、かつ、発光ダイオード３２の光軸ＡＸ１が回路基板３１に垂直となるように設置される。
【００１９】
３３は、発光ダイオード３２から約６０度程度に拡散しながら放射される光を、被写体に向けて集光（放射角度を減少させて直進光量を多く）するために凸レンズ形状を有する配光レンズである。配光レンズ３３は、発光ダイオード３２から拡散しながら放射される光がカメラの撮像範囲内に集まるように、発光ダイオード３２の光軸ＡＸ１と中心を一致させて、発光ダイオード３２の被写体側となる前面側に設けられる。配光レンズ３３のレンズ形式は、フレネルレンズ、シリンドリカルレンズ等、任意の形状のレンズを使用することができる。
【００２０】
３４は、配光レンズ３３や発光ダイオード３２等の内部部品を保護するために、筐体１１の開口部に設けられる透明カバーである。透明カバー３４は、配光レンズ３３の外側で、発光ダイオード３２から出射されて被写体に向かう光が全て透過されるように配置される。また、透明カバー３４は、筐体１１の開口部に嵌合あるいは接着剤により固定される。また、透明カバー３４は、カメラ付き携帯電話装置の使用者に対して視覚的効果を生ずる部品、例えば、着信表示ライトや、時計、意匠的な装飾部品等の保護カバー、あるいは、被写体の画像又は通信相手の電話装置から受信した画像を表示する液晶表示ウィンドウ等の表示手段の保護カバーと一体の部品として形成しても良い。また、ＡＸ１は、発光ダイオード３２から放射される白色光の光軸である。
【００２１】
発光ダイオード３２は、従来の静止画用に使用されていたキセノン管と比較して小型軽量であることから、携帯電話装置の小型化、軽量化および薄型化が可能である。また、配光レンズ３３も、例えば、樹脂レンズ等を用いることで従来のキセノン管の放射光を集光する反射傘よりも小型化、軽量化および薄型化が可能である。従来のキセノン管では、管部の全周囲から光が照射されるため反射傘が用いられるが、発光ダイオード３２の場合には、光の放射が約６０度程度の放射角度であるので、発光ダイオード３２の光軸ＡＸ１に中心を一致させて配光レンズ３３を配置するのみでよい。
【００２２】
また、発光ダイオード３２は、キセノン管のように大型の充電用コンデンサを必要としない。さらに、発光ダイオード３２は、キセノン管のように高電流を放電させることによる発熱が無いので、発熱量が少なくなり、配光レンズ３３を発光ダイオード３２に近づけることが可能であり、発光ダイオード３２と配光レンズを接触させても問題はない。従って、本実施の形態に示したカメラ付き携帯電話装置では、さらに小型化、軽量化および薄型化をすすめることが可能になる。
【００２３】
また、本実施の形態の発光ダイオード３２を用いたライト１２の場合には、被写体を照射可能な距離は５０ｃｍ程度であるので、光量としては、１〜２ｍ程度の照射可能な距離を有するキセノン管よりも少なくなる。しかし、キセノン管では連続発光不可能であり、使用者自身または使用者と並んだ２〜３人の撮影用としては、充分な照度を得ることができる。
【００２４】
図１に示したライト１２が付加されたカメラ付き携帯電話装置１の使用者が、自分自身の画像を撮影して相手に送信する場合には、入力キー群１５を操作してカメラ１３を動作させて使用者を撮影することで、相手への画像送信が可能になる。その際に、もし、使用者の周囲が暗いことから、送信される画像が暗くなるおそれがある場合には、使用者はライト１２のスイッチ２１をオンさせることで、ライト１２から放射された光が使用者の顔面を照射するので、明るい画像を送信することが可能となる。
【００２５】
なお、本実施の形態では、ライト１２を、ディスプレイ１４の上方でカメラ１３の横に並べたが、ライト１２は、カメラ１３の近傍に設けられればよく、例えば、カメラ１３に対して縦位置の近傍や、斜め位置の近傍であっても良い。また、ライト１２、カメラ１３と、液晶表示ウィンドウ等の表示手段の位置関係は任意の位置関係で良い。従って、本実施の形態では、ライト１２とカメラ１３をディスプレイ１４と同じ面に設ける場合について示したが、例えば、ディスプレイ１４の裏面側に設けても良い。
【００２６】
このように、本実施の形態のカメラ付き携帯電話装置では、回路基板３１の上に直接に、かつ、光軸ＡＸ１が回路基板３１に垂直となるように発光ダイオード３２を用いたライト１２を設けたので、携帯電話装置の小型化、軽量化および薄型化を進めることができることに加え、カメラ１３による動画撮影時に、被写体をライト１２で連続的に照明することができる。従って、本実施の形態では、静止画撮影時で周囲が暗い場合に加えて、動画撮影時の周囲が暗い場合であっても、カメラ１３により被写体を撮影することが可能である。
【００２７】
また、本実施の形態のカメラ付き携帯電話装置では、発光ダイオード３２の前面側に放射される光を被写体に向けて集光させる配光レンズ３３を設けたので、発光ダイオード３２から照射される光を効率良く被写体に照射することができる。
【００２８】
また、スイッチ２１の前段に光センサー等の光量検出手段を設け、その光量検出手段により周囲の光量を検出させ、光量検出手段が光量の不足を検出した場合の出力によりスイッチ２１を切り替えることで、ライト１２を自動的に点灯させることができる。また、光量検出手段としてカメラ１３を用い、カメラ１３で撮影した被写体の受信信号レベルから光量を検出し、光量が不足した場合にライト１２を自動的に点灯させるように構成しても良い。その場合には、本実施形態のカメラ付き携帯電話装置１の使用者は、周囲の光量を心配することなく、画像送信することができ、光検出手段を別に設置する必要が無くなって光検出手段を削除でき、さらに携帯電話装置の小型化、軽量化および薄型化をさらに進めることができる。
【００２９】
また、透明カバー３４を、カメラ付き携帯電話装置１の使用者に対して視覚的効果を生ずる部品の保護カバーと一体の部品として形成するか、被写体の画像又は通信相手の電話装置から受信した画像を表示する表示手段の保護カバーと一体の部品として形成する場合には、他の部品と部品が共用されることになり、部品点数を減らすことができ、小型化、軽量化、薄型化、および、コストダウンを進めることができる。
【００３０】
実施の形態２
上記した実施の形態１では、発光ダイオード３２と透明カバー３４の間に配光レンズ３３を配置したが、配光レンズ３３を所定の配置位置に固定するためには、図示しない別部材を使用する必要があった。
【００３１】
以下に説明する実施の形態２では、別部材を不要にするために、配光レンズを発光ダイオード３２に固定する場合を説明する。
【００３２】
図３は、本発明の実施の形態２のライト１２の構成を示す断面図である。なお、本実施の形態２のカメラ付き携帯電話装置１全体の構成は、実施の形態１と同様に図１を用いる。
【００３３】
実施の形態１と実施の形態２の相違点は、本実施の形態の配光レンズ３９では、レンズ部３９ａの下部（発光ダイオード３２側）に、発光ダイオード３２に取り付けて配光レンズ３９を支持する支持部（支持手段）３９ｂを有する点である。他の構成については、実施の形態１と同様である。
【００３４】
このように、本実施の形態では、配光レンズ３９に発光ダイオード３２に取り付けるための支持部３９ｂを設けたので、実施の形態１よりもさらに携帯電話装置の小型化、軽量化および薄型化を進めることができる。また、配光レンズ３９の光軸と発光ダイオード３２の発光点との位置関係の精度を向上させることができるため、配光角度を小さくさせて、集光効率を向上させるように設計することができる。その結果、位置バラツキによる被写体の照度ムラが減少し、被写体の照度を向上させることができる。
【００３５】
実施の形態３
上記した第１および実施の形態２では、発光ダイオード３２と透明カバー３４の間に配光レンズ３３あるいは配光レンズ３９を配置したので、配光レンズ３３あるいは３９分のスペース、重量および厚みと、透明カバー３４分のスペース、重量および厚みが携帯電話装置に必要であった。
【００３６】
以下に説明する実施の形態３では、透明カバーの形状について、配光レンズの集光機能を有するように凸レンズ面を形成することで配光レンズを不要にする場合を説明する。
【００３７】
図４は、本発明の実施の形態３のライト１２の構成を示す断面図である。なお、本実施の形態３のカメラ付き携帯電話装置１全体の構成も、第１および実施の形態２と同様に図１を用いる。
【００３８】
実施の形態３と実施の形態１の相違点は、本実施の形態では、透明カバー４１の少なくとも片面には、配光レンズの機能を有するように凸レンズ形状が形成されている点である。他の構成については、実施の形態１と同様である。
【００３９】
透明カバー４１の凸レンズ形状の中心は、発光ダイオード３２の光軸ＡＸ１と一致され、凸レンズの形状としては、フレネルレンズ、シリンドリカルレンズ等の任意のレンズで良い。また、透明カバー４１の凸レンズ形状をカメラ付き携帯電話装置１の外側にのみ形成することで、筐体１１の薄型化をさらに進めることができる。
【００４０】
このように、本実施の形態では、透明カバー４１に配光レンズの機能を有する凸レンズ部を形成したので、実施の形態１および２よりもさらに小型化、軽量化および薄型化を進めることができる。
【００４１】
実施の形態４
上記した第１〜実施の形態３では、１枚の配光レンズ、または、凸レンズ部を有する１枚の透明カバーを使用していた。ここで、発光ダイオード３２から照射される光の照射方向には個体差があり、また、発光ダイオード３２は、回路基板３１上で光軸ＡＸ１が回路基板３１に垂直となるように設置されるが、回路基板３１上の位置ずれ等が避けられないことから、被写体には照度ムラが発生する場合がある。
【００４２】
以下に説明する実施の形態４では、実施の形態２で説明した発光ダイオード３２に取り付ける配光レンズ３９を、発光ダイオード３２から照射される光の照射方向の調整に利用し、第１または実施の形態３に示した配光レンズを別個に設けることで、配光についての発光ダイオードの個体差、製造時の位置ばらつき等の誤差を吸収する場合を説明する。
【００４３】
実施の形態４と実施の形態３の相違点は、本実施の形態では、図３に示した実施の形態２の配光レンズ３９が、図４の実施の形態３の構成に追加されている点である。具体的には、図４の集光機能を有する凸レンズ面が設けられた透明カバー４１と、図３の支持部３９ｂを有する配光レンズ３９が同時に設けられる点である。他の構成については、実施の形態３と同様である。
【００４４】
また、透明カバー４１に設けられる凸レンズ面と、配光レンズ３９のレンズ部３９ａの個々の曲率は、２枚のレンズを使用することで低減させることができるので、２枚使用による光軸ＡＸ１方向のトータルの寸法増加は抑えることが可能である。
【００４５】
このように、本実施の形態では、凸レンズ面が設けられた透明カバー４１と支持部３９ｂを有する配光レンズ３９を同時に設けたので、携帯電話装置の小型化、軽量化および薄型化を進めることができることに加え、配光についての発光ダイオードの個体差、製造時の位置ばらつき等の誤差を吸収することができる。
【００４６】
実施の形態５
従来のカメラ付き携帯電話装置では、ストロボ装置のキセノン管が視認可能であり、外観上好ましくないという問題があったが、上記した各実施の形態でも、携帯電話装置の外部から、透明カバーおよび配光レンズを透過して、筐体１１内部の発光ダイオード３２および回路基板３１を視認することが可能であることから、外観上好ましいとは言えない。
【００４７】
以下に説明する実施の形態５では、実施の形態１で説明したライト１２に、例えば、ハーフミラーフィルムのような、光透過率が光の透過方向により異なる膜状体を追加することで、ライト１２の照射能力の減少量を抑えつつ、外部から筐体１１内部の発光ダイオード３２および回路基板３１を視認できなくする場合を説明する。
【００４８】
図５は、本発明の実施の形態５のライト１２の構成を示す断面図である。なお、本実施の形態５のカメラ付き携帯電話装置１全体の構成も、他の実施の形態と同様に図１を用いる。
【００４９】
実施の形態５と実施の形態１の相違点は、本実施の形態では、発光ダイオード３２と配光レンズ３３との間に、前面から後面への光透過率が後面から前面への光透過率よりも少ない膜状体５１が設けられている点である。他の構成については、実施の形態１と同様である。
【００５０】
携帯電話装置１の外部から透明カバー３４および配光レンズ３３を透過した外光ＯＬ１は、膜状体５１で比較的多く減衰（減光）する。そのため、外光ＯＬ１が発光ダイオード３２および回路基板３１で反射される光も減り、その反射光は携帯電話装置１の外部にほとんど出射しなくなる。従って、発光ダイオード３２が消灯している場合には、筐体１１の外部から見て発光ダイオード３２および回路基板３１の周辺は暗くなり、視認することは難しくなる。
【００５１】
一方、発光ダイオード３２が点灯している場合、発光ダイオード３２から出射した光は、膜状体５１では比較的減衰しないため、被写体に対して良好な光量の照射光を供給することができる。
【００５２】
なお、本実施の形態では、膜状体５１を、一例として発光ダイオード３２と配光レンズ３３との間に設けたが、例えば、配光レンズ３３と透明カバー３４との間に設けても良い。また、膜状体５１は、実施の形態１〜４のいずれとも組み合わせることが可能である。
【００５３】
このように、本実施の形態では、前面から後面への光透過率が後面から前面への光透過率よりも少ない膜状体５１を設けたので、携帯電話装置の小型化、軽量化および薄型化を進めることができることに加え、発光ダイオード３２および回路基板３１を視認できにくくして外観上好ましくすることができる。
【００５４】
実施の形態６
上記した実施の形態５では、光透過率が光の透過方向により異なる膜状体を追加することで、発光ダイオード３２および回路基板３１を視認できにくくして外観上好ましくしたが、膜状体５１による発光ダイオードの出力光の減少量がある程度大きくなることは避けられない。これに対して、透明板の表面に凹凸等を形成した光拡散板を利用することによっても、発光ダイオード３２および回路基板３１を視認できにくくして外観上好ましくすることができ、さらに発光ダイオードの出力光の減少を抑えることができる。
【００５５】
以下に説明する実施の形態６では、実施の形態１で説明したライト１２に、片側の表面に凹凸等が形成された光拡散板を追加することで、ライト１２の照射能力の減少量を抑えつつ、外部から発光ダイオード３２および回路基板３１を視認できなくする場合を説明する。
【００５６】
図６は、本発明の実施の形態６のライト１２の構成を示す断面図である。なお、本実施の形態６のカメラ付き携帯電話装置１全体の構成も、他の実施の形態と同様に図１を用いる。
【００５７】
実施の形態６と実施の形態５の相違点は、実施の形態５では光の透過方向により透過率が異なる膜状体５１を用いていたが、本実施の形態では、透明材料板の片面（被写体側：拡散面６１ａ）に凹凸形状が形成されることで、光の透過方向により光の反射率が異なる光拡散板６１を用い、配光レンズ３３と透明カバー３４との間に配置している点である。また、光拡散板６１の他方の面は平坦な平滑面６１ｂになっている。
【００５８】
また、光拡散板６１の配置としては、光拡散面が６１ａが必ず被写体側になり、平滑面６１ｂは必ず発光ダイオード３２側となる。これは、光拡散面６１ａによる光の反射は平滑面６１ｂより大きいことから、光源である発光ダイオード３２側に光拡散板６１の光拡散面６１ａを向けてしまうと、発光ダイオード３２の出射光が光拡散板６１を透過する透過率が、特に配光レンズ３３の中央近辺で低下してしまうためである。他の構成については、実施の形態１と同様である。
【００５９】
光拡散板６１の拡散面６１ａは、表面に細かい凹凸を多数形成する場合、細かい凸レンズ形状を多数形成する場合、細かい直線溝を多数形成する場合、細かいフレネルレンズ状の同心円状の溝を多数形成する場合、細かいビーズ状の透明球体を表面に多数配置する場合等が考えられる。
【００６０】
携帯電話装置１の外部から透明カバー３４を透過した外光ＯＬ１は、光拡散板６１の拡散面６１ａで比較的多くの光量が反射され、わずかな光量のみが光拡散板６１を透過する。そのため、外光ＯＬ１が発光ダイオード３２および回路基板３１で反射される光も減り、その反射光は携帯電話装置１の外部にほとんど出射しなくなる。また、外光ＯＬ１は発光ダイオード３２および回路基板３１で反射され、携帯電話装置１の外部に反射する光は、拡散面６１ａで再度拡散されるため、筐体１１の外部から見て発光ダイオード３２および回路基板３１等は視認できにくくなる。従って、発光ダイオード３２が消灯している場合には、筐体１１の外部から見て発光ダイオード３２および回路基板３１等は見えなくなり、視認することは難しくなる。
【００６１】
一方、発光ダイオード３２が点灯している場合、図７に示したように発光ダイオード３２から出射した光は、透明な光拡散板６１の平滑面６１ｂでは比較的反射する量が少ないため、被写体に対して良好な光量の照射光を供給することができる。
【００６２】
なお、本実施の形態では、光拡散板６１を、一例として配光レンズ３３と透明カバー３４との間に設けたが、例えば、発光ダイオード３２と配光レンズ３３との間に設けても良い。また、光拡散板６１は、実施の形態１〜４のいずれとも組み合わせることが可能である。
【００６３】
このように、本実施の形態では、光を拡散させる面が被写体側になるように光拡散板６１を用いて、光拡散板６１の前面（光拡散面６１ａ）における光反射率が後面（平滑面６１ｂ）における光反射率よりも大きくなるようにし、また、内部から外部に出る透過光を光拡散板で再度拡散するようにしたので、携帯電話装置の小型化、軽量化および薄型化を進めることができることに加え、発光ダイオード３２から出射される照明光の減衰量を抑えて透過率を向上させ、発光ダイオード３２および回路基板３１を視認できにくくして外観上好ましくすることができる。
【００６４】
実施の形態７
上記した実施の形態６では、光反射率が光の透過方向により異なり、また、透過光を拡散する光拡散板を追加することで、発光ダイオード３２および回路基板３１を視認できにくくして外観上好ましくすると共に、発光ダイオード３２から出射される照明光の透過率を向上させたが、光拡散面６１ａによる発光ダイオードの出力光の拡散は避けられなかった。これは、光拡散面６１ａにおいて、光軸ＡＸ１近辺で拡散した光は比較的被写体に届きやすいのに対して、外周あるいは外縁部に近づくほど、拡散した光は、カメラの撮像範囲外に広がり、比較的被写体に届きにくくなっている。従って、光拡散面６１ａを、光軸ＡＸ１から周辺部に向かって放射角度を減少させるように形成することが、被写体に届く光量を増加させるために有効と考えられる。
【００６５】
以下に説明する実施の形態７では、実施の形態６で説明したライト１２の光拡散板で、光軸ＡＸ１から周辺部に向かって拡散角度が小さくなるように光拡散面６１ａを形成することで、外部から発光ダイオード３２および回路基板３１を視認できなくしつつ、ライト１２の照射光が拡散する量を抑える場合を説明する。
【００６６】
図８は、本発明の実施の形態６のライト１２の構成を示す断面図である。なお、本実施の形態７のカメラ付き携帯電話装置１全体の構成も、他の実施の形態と同様に図１を用いる。
【００６７】
実施の形態７と実施の形態６の相違点は、実施の形態６では、光拡散板６１の光拡散面６１ａの表面形状が均一であったものが、本実施の形態では、光軸ＡＸ１から周辺部に向かって凹凸形状を徐々に、または、段階的に変化させる点である。また、本実施の形態では、凹凸形状を、細かい球体の配置、または、細かい凸レンズ形状の形成（高分子材料等による成形）により行う。他の構成については、実施の形態６と同様である。
【００６８】
図８では、発光ダイオードの出射光束Ｌ０が、光拡散板７１に到達した後、光拡散板７１の周辺部の光拡散面７１ａによる拡散光の光束Ｌ１よりも、中央部の拡散光の光束Ｌ２の方が拡散角度が大きくなっている。従って、光拡散板７１の周辺部の光の拡散量は減少することから、撮像範囲外に光が拡散する量を少なくすることができ、撮像範囲内の光量を増加させ、被写体を明るく照らすことが可能になる。
【００６９】
このように、本実施の形態では、光拡散板７１の光拡散面７１ａの表面の拡散角が、光拡散板７１の中央から周辺部に向けて小さくなるようにしたので、携帯電話装置の小型化、軽量化および薄型化を進めることができること、発光ダイオード３２から出射される照明光の減衰量を抑えて透過率を向上させ、発光ダイオード３２および回路基板３１を視認できにくくして外観上好ましくすることに加え、撮像範囲内の光量を増加させることができる。
【００７０】
実施の形態８．
上記した各実施の形態では、ライト１２を携帯電話装置１１の本体に内蔵させる場合を示したが、本発明は、脱着可能な外付けライトとしても適用することができる。
【００７１】
以下に説明する実施の形態８では、上記した各実施の形態で説明したライト１２を脱着式の独立した外付けライトとした場合を説明する。
【００７２】
図９は、本発明の実施の形態８であるカメラ付き携帯電話装置の外観形状を示す図である。
【００７３】
実施の形態８と実施の形態１の相違点は、実施の形態１では、カメラ付き携帯電話装置１に内蔵されていたライト１２が、本実施の形態では、カメラ付き携帯電話装置２から独立した外付けライト１９になっている点である。外付けライト１９には、カメラ付き携帯電話装置２と電気的接続及び機械的接続が可能であるプラグ部１９ａが設けられる点。カメラ付き携帯電話装置２には、外付けライト１９のプラグ部１９ａを脱着可能に接続するジャック部２０を有している点である。他の構成については、実施の形態１と同様である。
【００７４】
実施の形態１のカメラ付き携帯電話装置１では、ライト１２のオン／オフを撮影者がスイッチ２１により切り替えるか、照度センサ等の光量検出手段によりライト１２のオン／オフを切り替えていたが、本実施の形態では、例えば、プラグ部１９ａをジャック部２０に挿入することにより、外付けライト１９をオンさせ、プラグ部１９ａをジャック部２０から抜き去ることで外付けライト１９をオフさせることで、スイッチ２１あるいは光量検出手段を不要にすることができ、必要に応じてライトを使用することができる。
【００７５】
従って、本実施の形態では、カメラ付き携帯電話装置にジャック部２０を設け、別体のライト１９にジャック部２０と電気的接続及び機械的接続が可能であるプラグ部１９ａを設けることで、ライトをカメラ付き携帯電話装置に内蔵しなくなり、ライトのスイッチも不要にできることから、実施の形態１よりもいっそう小型化、軽量化および薄型化を進めることができる。
【００７６】
このように、本実施の形態では、外付けライトをカメラ付き携帯電話装置とは脱着可能な別体としたので、カメラ１３による動画撮影時に、被写体をライト１２で連続的に照明することができ、静止画撮影に加えて動画撮影時で周囲が暗い場合であっても、カメラ１３により被写体を撮影することが可能であることに加え、実施の形態１よりも携帯電話装置の小型化、軽量化および薄型化をさらに進めることができる。
【００７７】
また、照明装置（外付けライト）がカメラ付き携帯電話装置とは脱着可能な別体となり、カメラに内蔵させる必要がなくなるので、カメラ側（携帯電話側）の小型化、軽量化および薄型化を進めることができるだけでなく、照明装置にとってもメンテナンスや取り替えが容易となる。
【００７８】
実施の形態９．
上記した実施の形態６では、光の透過方向により光の反射率が異なるように透明材料板の一方の面（被写体側：拡散面６１ａ）に凹凸形状が形成された光拡散板６１を、配光レンズ３３と透明カバー３４との間に配置したが、光拡散板６１の他方の面は平坦な平滑面６１ｂになっている。これは、発光ダイオード３２の出射光が光拡散板６１を透過する透過率が、特に配光レンズ３３の中央近辺で低下してしまうためであった。
【００７９】
これに対して、発光ダイオード３２の出射光が光拡散板を透過する透過率が、配光レンズ３３の中央近辺と周辺部でより均等になるようにして照度分布差を抑えたい場合には、逆に透明板の表面に凹凸等を形成した光拡散面を、ダイオード側もしくは被写体側とダイオード側の両面に形成することができる。
【００８０】
その場合には、実施の形態６よりも若干ではあるがレベルは低下するものの、実用上は問題なく発光ダイオード３２および回路基板３１を外部から視認できにくくして外観上を好ましくすることができる。
【００８１】
そこで、以下に説明する実施の形態９では、実施の形態６で説明した光拡散板の凹凸形状が形成される面を、発光ダイオード側とするか、もしくは、発光ダイオード側と被写体側の両面に凹凸形状を形成し、ライト１２の照射の光量分布差を抑えつつ、外部から発光ダイオード３２および回路基板３１を視認できなくする場合を説明する。
【００８２】
図１０、図１１は、本発明の実施の形態９のライト１２または１９の構成を示す断面図である。なお、本実施の形態９のカメラ付き携帯電話装置１全体の構成も、他の実施の形態と同様に図１を用いる。
【００８３】
図１０に示した本実施の形態９のライト１２または１９と実施の形態６の相違点は、実施の形態６では光拡散板６１の光拡散面が６１ａが被写体側であり、平滑面６１ｂは発光ダイオード３２側になっていたが、本実施の形態９のライト１２または１９では光拡散面が８１ａが発光ダイオード３２側であり、平滑面８１ｂが被写体側になっている点である。
【００８４】
また、図１１に示した本実施の形態９のライト１２または１９と実施の形態６の相違点は、実施の形態６では光拡散板６１の光拡散面が６１ａが被写体側の片面のみであり、平滑面６１ｂは発光ダイオード３２側になっていたが、本実施の形態９のライト１２または１９では光拡散面が９１ａが発光ダイオード３２側であり、平滑面が無く被写体側にも光拡散面が９１ｂを設けている点である。
【００８５】
図１２は、実施の形態６の光拡散板６１における拡散面が被写体側の場合と、本実施の形態の光拡散板８１における拡散面が光源（発光ダイオード３２）側の場合の、像高（％：横軸）と照度比（％：縦軸）の関係を示す図である。
【００８６】
なお、図１２の横軸で示された像高とは、図１３を用いて後述するように撮像される画像の中心から最も遠い距離の位置を像高１００％として、中心からの距離の比で示される割合である。また、照度比は、（拡散面有りの照度）／（拡散面無しの照度）である。
【００８７】
図１２からは、拡散面が被写体側の場合の線ＰＳは、像高（％）が増加して１００％に近づくにつれて、逆に照度比（％）は反比例して顕著に減少している。しかし、拡散面が光源側の場合の線ＳＳでは、線ＰＳと同様に反比例して減少しているが、その程度は緩やかである。図１２の線ＰＳは、拡散面が被写体側の場合で、発光ダイオード３２の出射光が光拡散板６１を透過する透過率は、中央近辺ではあまり低下しないが、周辺部では極端に低下することを示している。逆に、図１２の線ＳＳは、拡散面が光源側の場合で、発光ダイオード３２の出射光が光拡散板６１を透過する透過率は、中央近辺では比較的低下するが、周辺部でも中央部と比較して極端には低下しないことを示している。
【００８８】
図１３は、本実施の形態の像高を説明する図である。
例えば、図１３に示されるように画像のサイズの縦横を４ｃｍ×３ｃｍとした場合、中心Ｐは像高が０％であり、角部Ｑは像高が１００％になる。また、幅方向の中心の位置Ｒは像高が８０％となり、高さ方向の中心の位置Ｓは像高が６０％になる。これは、図１３に一点鎖線で示された各直角三角形の各辺の長さの比が３：４：５となり、比が３の辺が１．５ｃｍ、比が４の辺が２ｃｍであるので、斜辺は比が５の２．５ｃｍとなり、この斜辺が１００％であるので、比が３の辺が６０％、比が４の辺が８０％となる。
【００８９】
本実施の形態の光拡散板８１のように、拡散面を光源（発光ダイオード３２）側の場合、中央近辺と周辺部との照度の差が少なくなり、ライト１２の照射の光量分布差を抑えつつ、外部から発光ダイオード３２および回路基板３１を視認できなくすることができる。
【００９０】
図１２からは、実施の形態６のように拡散面６１ａを被写体側に設けた場合の方が、光拡散板の中心の照度は高く保てることが解るが、周辺部と中心部との照度差は極端になることがわかる。一方、本実施の形態のように、図１０に示した拡散面８１ａを光源側である発光ダイオード３２側に設けた場合、中心の照度低下は大きいが、周辺の照度低下は比較的少ないことがわかる。そして、図１１に示した光拡散板９１の９１ａと９１ｂの両面に拡散面を設けた場合も、拡散面９１ａが光源側にあるので、図１０の場合と同様の結果が得られる。
【００９１】
従って、図１の照明手段１２もしくは図９の照明手段１９で、図１０の光拡散板８１または図１１の光拡散板９１を用いた場合、中心に対する周辺の照度低下を有効に抑えることができるので、例えば、被写体が中心部のみでなく周辺部にも存在する場合には、周辺の照度低下をより有効に抑えることができ、被写体の撮影を良好に実施できるという利点がある。
【００９２】
また、図１１の光拡散板９１を用いた場合、拡散面９１ａが光拡散板９１の光源側にあり、拡散面９１ｂが光拡散板９１の被写体側にあるので、外部から進入した光は、進入時に拡散面９１ｂで拡散され、反射時に拡散面９１ａで拡散される。従って、外部光は、進入時と反射時の双方において拡散面で拡散されるため、発光ダイオード３２が消灯している場合には、発光ダイオード３２等の内部の部品を外部からより視認できにくくできるという効果がある。
【００９３】
なお、実施の形態６のように拡散面６１ａを被写体側のみに設けて、中心部の照度を向上させるか、本実施の形態のように、中心部と周辺部の照度差を減少させるかは、配光レンズ３３の性能や仕様によって適宜選択すればよい。
【００９４】
また、上記した各拡散面は、実施の形態６および本実施の形態では拡散板６１、８１あるいは９１の表面に形成したが、例えば、上記以外の配光レンズ３３、あるいは、透明カバー３４の表面に形成しても良い。すなわち、発光ダイオードの放射光と直交する面を有して発光ダイオードから放射する光を透過する部品（配光レンズ３３、あるいは、透明カバー３４等）のうち、その部品中の少なくとも１つの直交する面に、光を拡散させる光拡散部を設けるように構成しても良い。
【００９５】
また、その光拡散面は、実施の形態７に記載したように、発光ダイオード３２の光軸近辺よりも周辺部の方が光の拡散角度が小さくなるように形成しても良い。
【００９６】
また、上記した各実施の形態に記載した光を拡散させる光拡散面（あるいは光拡散部）は、上記したように独立した光拡散板に形成する場合のみではなく、例えば、透明カバーの裏側等の、発光ダイオードの放射光と直交する面を有して発光ダイオードから放射する光を透過する部品のうち、その部品中の少なくとも１つの直交する面に設けるように構成しても良い。
【００９７】
実施の形態１０
一般的に、上記した各実施の形態で発光ダイオード３２を搭載している印刷回路基板３１は、ベークライト等の茶色系統の色もしくはガラスエポキシ等の緑色をしており、その表面の光の反射率は良好とは言えない。そこで、以下に説明する本実施の形態では、印刷回路基板３１上に反射率の良い表面を有する平板部を設けることで、印刷回路基板の反射率を向上させる場合を説明する。
【００９８】
図１４、図１５は、本発明の実施の形態１０のライト１２または１９の構成を示す断面図である。なお、本実施の形態１０のカメラ付き携帯電話装置１全体の構成も、他の実施の形態と同様に図１を用いる。
【００９９】
図１４に示した本実施の形態１０のライト１２または１９と実施の形態１の相違点は、実施の形態１では印刷回路基板３１上には、発光ダイオード３２が、直接に取り付けられているのみで、基板上に反射率を向上させる手段は設けられていなかったが、本実施の形態では印刷回路基板３１上の、発光ダイオード３２が取り付けられる面の少なくともその発光ダイオード３２の周辺部に、高反射率の白色、あるいは、銀色等の平滑表面を有する反射面１０１を、シルク印刷等の印刷手法により形成する点である。
【０１００】
また、図１５では、シルク印刷等の代わりに、例えば、アルミ箔（金属箔）等の高反射率の表面を有するシート状の平板（膜状体）を印刷回路基板３１上に接着して、高反射率の白色、あるいは、銀色等の平滑表面を有する反射面１０２を形成する点である。
【０１０１】
図１４および図１５の構成によれば、発光ダイオード３２から放出された光の一部は、配光レンズ３３、あるいは、透明カバー３４の表面で反射されて、印刷回路基板３１の表面に戻るが、その戻った光は、再び反射面１０１または反射面１０２で反射されて被写体側（外部）に向かうので、被写体に放射される光量が増加され、被写体の照度が向上する。
【０１０２】
また、反射面１０１あるいは１０２（反射部）の被写体側の表面には、被写体部での照度分布差を小さくし、発光ダイオードおよび回路基板を視認できにくくして外観上照明装置の配光特性をより良好にすることができるように、光拡散用の凹凸を設けても良い。
【０１０３】
このように本実施の形態では、印刷回路基板３１の発光ダイオード３２が取り付けられる面の少なくともその発光ダイオード３２の周辺部に反射率を向上させる平板部を設けたので、配光レンズ３３、透明カバー３４などの表面で発光ダイオード側に反射した光を再度被写体側に反射することができ、被写体に放射される光量を増加させることができ、被写体の照度を向上させることができる。
【０１０４】
また、反射部の被写体側の表面に光拡散用の凹凸を設けた場合には、被写体部での照度分布差を小さくでき、発光ダイオードおよび回路基板を視認できにくくして外観上照明装置の配光特性をより良好にすることができ、光拡散板を薄型化あるいは不要にできるので携帯電話装置の小型化、軽量化および薄型化をさらに進めることができる。
【０１０５】
実施の形態１１
上記した各実施の形態では、発光ダイオード３２を搭載している印刷回路基板３１上に、反射率の良い表面を設けることで、印刷回路基板の反射率を向上させたが、発光ダイオード３２の印刷回路基板３１からの高さ寸法が大きい場合には、発光ダイオード３２の光放出面と、印刷回路基板３１の表面との距離が大きくなり、印刷回路基板３１の表面における反射率が良くならない場合がある。そこで、以下に説明する本実施の形態では、印刷回路基板３１上に、印刷回路基板３１の表面からの高さ寸法が有り、その被写体側には反射率の良い表面を有する構造体を設けることで、印刷回路基板の反射率を向上させる場合を説明する。
【０１０６】
図１６は、本発明の実施の形態１１のライト１２または１９の構成を示す断面図であり、図１７は、図１６の構造体の概略形状の一例を示す斜視図である。なお、本実施の形態１１のカメラ付き携帯電話装置１全体の構成も、他の実施の形態と同様に図１を用いる。
【０１０７】
図１６および図１７に示した本実施の形態１１のライト１２または１９と実施の形態１０の相違点は、実施の形態１０では印刷回路基板３１上には、基板上に反射率を向上させる手段として発光ダイオード３２が取り付けられる面の少なくともその発光ダイオード３２の周辺部に、高反射率の白色、あるいは、銀色等の平滑表面を有する反射面１０１を、シルク印刷等の印刷手法により形成していたが、本実施の形態では、構造体１１１を用いて反射面１１１ａを、印刷回路基板３１の表面から配光レンズ３３の側に近づけ、発光ダイオードの光放出面との段差を減少させている点である。
【０１０８】
なお、構造体１１１は、例えば、接着剤で印刷回路基板３１上に取り付けても良いし、ネジ等の取付治具を用いたり、取り付け用フック部を構造体１１１に設けても良い。
【０１０９】
また、図１６および図１７では、発光ダイオードが４個の場合を示したが、この数量については、目的とする被写体の照度と発光ダイオード３２の光量により任意に変更しても良い。例えば、発光ダイオードの光量が目的とする被写体の照度が得られる場合には上記した各実施の形態と同様に１個でも良いし、２個以上でも良い。
【０１１０】
構造体１１１としては、発光ダイオード３２の側面部（周囲）の少なくとも一部を囲む形状に樹脂を成形して設ける。また、構造体１１１の被写体側の表面１１１ａは高反射率にする必要があるので、樹脂の色としては、例えば、高反射率である白色、黄色、銀色あるいは金色の樹脂を用いて成形する。
【０１１１】
また、例えば、構造体１１１に高反射率の色の樹脂を用いることができない場合には、例えば、少なくとも被写体側の表面を高反射率である白色、黄色、銀色あるいは金色に塗装しても良いし、少なくとも被写体側の表面に金属の皮膜を蒸着または塗着させても良い。
【０１１２】
また、反射面１１１ａ（反射部）の被写体側の表面には、被写体部での照度分布差を小さくし、発光ダイオードおよび回路基板を視認できにくくして外観上照明装置の配光特性をより良好にすることができるように、光拡散用の凹凸を設けても良い。
【０１１３】
図１６および図１７の構成によれば、発光ダイオード３２から放出された光の一部は、配光レンズ３３、あるいは、透明カバー３４の表面で反射されて、反射面１１１ａの表面に戻るが、その戻った光は、再び反射面１１１ａで反射されて被写体側（外部）に向かう。この反射面１１１ａは、実施の形態１０の基板面に設けられた反射面１０１あるいは１０２よりも、より配光レンズ３３に近く、発光ダイオード３２の光放出面との段差が少なくなる、従って、被写体に放射される光量が実施の形態１０の場合よりも増加され、被写体の照度が向上する。
【０１１４】
このように本実施の形態では、印刷回路基板３１の発光ダイオード３２が取り付けられる面の少なくともその発光ダイオード３２の周辺部に反射率を向上させる構造体を設けたので、配光レンズ３３、透明カバー３４などの表面で発光ダイオード側に反射した光をより多く再度被写体側に反射することができ、被写体に放射される光量をさらに増加させることができ、被写体の照度もさらに向上させることができる。
【０１１５】
また、反射部の被写体側の表面に光拡散用の凹凸を設けた場合には、被写体部での照度分布差を小さくでき、発光ダイオードおよび回路基板をさらに視認できにくくして外観上照明装置の配光特性をより良好にすることができ、光拡散板を薄型化あるいは不要にできるので携帯電話装置の小型化、軽量化および薄型化をさらに進めることができる。
【０１１６】
なお、上記した各実施の形態では、発光ダイオードの数が１個又は４個の場合を示したが、本発明に用いられる照明装置はこれに限られるものではなく、例えば、発光ダイオードを２個、３個、あるいは、５個以上用いても良い。
【０１１７】
実施の形態１２
上記した実施の形態６では、光拡散板６１の拡散面６１ａの表面に細かいビーズ状の透明球体を多数配置する場合があると説明した。また、上記した実施の形態８では、光拡散板６１の拡散面６１ａを被写体側に向けた場合と、光源側に向けた場合とにおける像高と照度比との関係について説明した。
【０１１８】
以下に説明する実施の形態１２では、光拡散板６１の構造について詳しく説明し、拡散面６１ａを向ける方向についても詳しく説明する。
【０１１９】
図１８、図１９、図２０、図２１は、本発明の実施の形態１２の光拡散板６１の構成を示す断面図である。なお、本実施の形態１２のカメラ付き携帯電話装置１の全体の構成も、他の実施の形態と同様に図１を用いる。
【０１２０】
図１８に示した本実施の形態１２の光拡散板６１は、拡散面６１ａと平滑面６１ｂとから構成され、拡散面６１ａは、ビーズ状の透明球体６１ｃとバインダー６１ｄとから構成される。また、ビーズ状の透明球体６１ｃの一部が拡散面６１ａの表面から露出しているので、拡散面６１ａの表面は凹凸に形成される。拡散面６１ａの光の拡散作用は、空気とビーズ状の透明球体６１ｃとの間の屈折率差が大きいことにより生じる。したがって、ビーズ状の透明球体６１ｃが拡散面６１ａから大きく露出し、表面の凹凸の程度が大きくなると、ビーズ状の透明球体６１ｃと空気とが接する面積が大きくなるので光の拡散作用が大きくなり、発光ダイオード３２を視認しにくくなる。逆に、凹凸の程度が小さく、表面がより平滑に近い状態になるとビーズ状の透明球体６１ｃと空気とが接する面積が小さくなるので、光の拡散作用は小さくなり、発光ダイオード３２を視認し易くなる。
【０１２１】
ビーズ状の透明球体６１ｃには、ガラス、アクリル系樹脂、スチレン系樹脂、シリコン系樹脂等、例えば、アクリル、アクリロニトリル、ポリウレタン、ポリ塩化ビニル、ポリスチレン、ポリアクリロニトリル、ポリアミド、シリコンゴム等が用いられる。また、その形状としては、球体以外にも立方体状、針状、棒状、紡錘形状、板状、鱗片状、繊維状のものも考えられるが、光の拡散作用を考慮すると球状のビーズがより好ましく、真球状または真球状に近い球状のものが最も好ましい。形状を球状とした場合には、球状の各粒子がそれぞれ微少レンズとして作用することから、光の拡散作用が大きくなるからである。さらに、光の拡散作用と、光源である発光ダイオードを視認できにくくする効果とを両立するためには、平均粒径が１μｍから５０μｍのものが好ましい。
【０１２２】
バインダー６１ｄには、アクリル系樹脂、ポリウレタン、ポリエステル、フッ素系樹脂、シリコーン系樹脂、ポリアミドイミド、エポキシ樹脂等が用いられる。バインダー６１ｄの厚さは、ビーズ状の透明球体６１ｃの粒径とも関係するが、１μｍから３０μｍのものが好ましい。
【０１２３】
また、光拡散板６１の基材である平滑面６１ｂは、アクリル系樹脂、スチレン系樹脂、ポリカーボネート、塩化ビニル系樹脂等を用いる。平滑面６１ｂの厚さは特に限定するものではないが、光拡散板６１を作る際の作業性等を考慮すると５０μｍから２００μｍ程度が望ましい。
【０１２４】
図１２は、実施の形態９で説明したように、光拡散板６１の拡散面６１ａが被写体側の場合と、光拡散面６１ａが光源（発光ダイオード３２）側の場合の、像高（％：横軸）と照度比（％：縦軸）の関係を示す図である。図１２の線ＰＳは、拡散面が被写体側の場合で、発光ダイオード３２の出射光が光拡散板６１を透過する透過率は、中央近辺ではあまり低下しないが、周辺部では極端に低下することを示している。逆に、図１２の線ＳＳは、拡散面が光源側の場合で、発光ダイオード３２の出射光が光拡散板６１を透過する透過率は、中央近辺では比較的低下するが、周辺部でも中央部と比較して極端には低下しないことを示している。
【０１２５】
ところで、動画像を撮影するためには、カメラを長時間動作させる必要があり、そのため、カメラを動作させるために必要な電力も大きくなる。ところが、携帯電話では薄型化、小型化の要望があるため、携帯電話に搭載されるバッテリも薄型、小型のものが要求され、また、可能な限りバッテリの数も少なくするよう要求されるので、カメラ専用のバッテリを用いることは難しく、バッテリを他の電子部品用のバッテリと共用することが多い。しかし、この共用バッテリにも当然、薄型化、小型化が要求されるので、バッテリの容量を大きくすることは難しい。したがって、カメラの動作による消費電力を抑制するために、消費電力が小さいカメラを用いる場合がある。しかし、消費電力が小さいカメラは、受光感度が低くなる傾向にある。一方、発光ダイオードを用いたライトの光量は、キセノン管等を用いたライトの光量と比較して非常に小さくなる。従って、受光感度が低いカメラと、光量の小さい発光ダイオードとを用いて画像の撮像を行う場合、絶対的な光量を確保するために、光拡散板６１の拡散面６１ａを被写体側に向けて発光ダイオード３２の前面に配置し、ライト１２からの出射光が図１２の線ＰＳに示すような照度比の分布のもとで被写体の撮影を行うと良好な画像を得ることができる。
【０１２６】
このような、消費電力が小さいカメラは、静止画像より動画像の撮影に適している。
【０１２７】
一方、カメラの中央部の光量と周辺部の光量との比が大きくならないようにするというカメラの性能向上の要求を満足するためには、カメラに取付けられるレンズの枚数を多くする等の設計を行わなければならない。しかしながら、上記のように薄型化が要求される携帯電話において、レンズを含めたカメラ全体を大きくすることはできない。このような周辺部の光量が大きく低下するカメラを用い、光拡散板６１の拡散面６１ａを被写体側に向けて発光ダイオード３２の前面に配置し、ライト１２からの出射光が図１２の線ＰＳに示すような照度比の分布のもとで被写体の撮影を行うと、画像の周辺部は中央部と比較して非常に暗くなってしまう。このような現象を避けるために、受光感度の高いカメラを用いる場合がある。受光感度の高いカメラは、小さな光量であっても撮像を行うことができるので、絶対的な光量より照度比の分布が重要となる。従って、このようなカメラを用いる場合は、光拡散板６１の拡散面６１ａを光源側に向けて発光ダイオード３２の前面に配置し、ライト１２からの出射光が図１２の線ＳＳに示すような照度比の分布のもとで被写体の撮影を行うと良好な画像を得ることができる。ところで、受光感度が高いカメラは、消費電力が大きくなる傾向にある。したがって、受光感度が高いカメラは、動画像より静止画像の撮影に適している。
【０１２８】
このように、光拡散板６１の拡散面６１ａを被写体側に向けるか、光源側に向けるかは、実施の形態９で説明したような配光レンズの性能や仕様だけではなく、カメラの仕様によって選択してもよい。もちろん、カメラの仕様や性能によっては、配光レンズを省略できる。
【０１２９】
図１９に示した本実施の形態１２の光拡散板６１は、拡散面６１ａと平滑面６１ｂとから構成され、拡散面６１ａは、中空のビーズ状の透明球体６１ｅとバインダー６１ｄとから構成される。図１８と相違する点は、拡散面６１ａを構成するビーズ状の透明球体６１ｅが内部に空間部を有し、中空となっている点である。図１８のビーズ状の透明球体６１ｃは、拡散面６１ａの表面だけで空気と接しており、光の拡散作用が生じるのが拡散面６１ａの表面だけである。しかし、図１９に示した中空のビーズ状の透明球体６１ｅを用いると、中空のビーズ状の透明球体６１ｅの内壁と球体内部の空間部との間においても光の屈折が生じ、光が拡散することから、図１８に示した中実のビーズ状の透明球体６１ｃより光の拡散作用が大きくなるので、図１８に示した拡散面６１ａより光の拡散作用が大きくなる。
【０１３０】
さらに、図２０に示した本実施の形態１２の光拡散板６１は、拡散面６１ａと平滑面６１ｂとから構成され、拡散面６１ａは、ビーズ状の透明球体６１ｆとバインダー６１ｄとから構成される。図１８と相違する点は、ビーズ状の透明球体６１ｆの間にあるバインダー６１ｄの表面を波状の凹凸に形成した点である。このように、バインダー６１ｄの表面を波状の凹凸に形成すると、バインダー６１ｄも光の拡散作用を持つことになり、拡散面６１ａにおける光の拡散作用がより大きくなる。
【０１３１】
また、図２１に示した本実施の形態１２の光拡散板６１は、拡散面６１ａと平滑面６１ｂとから構成され、拡散面６１ａはビーズ状の透明球体６１ｇとバインダー６１ｄと気泡６１ｈとから構成される。図１８と相違する点は、気泡６１ｈが拡散面６１ａに混入されている点である。ビーズ状の透明球体６１ｇとバインダー６１ｄとの間の屈折率差よりも、気泡６１ｈとバインダー６１ｄとの間の屈折率差が大きいので、気泡６１ｈが拡散面６１ａに混入されると、気泡６１ｈが無い場合よりも光の拡散作用が大きくなる。また、光の透過、屈折による拡散作用ではなく光の反射による拡散作用を強めるために、気泡ではなく顔料を入れてもよい。顔料には、例えば、酸化チタン、酸化亜鉛、炭酸鉛、硫化バリウム、炭酸カルシウム等が用いられる。また、ビーズ状の透明球体６１ｇに顔料を入れてもよい。顔料を混入すると、光の透過率は下がるが、発光ダイオードを視認しにくくなる効果は高くなる。
【０１３２】
なお、上記では、ビーズ状の透明球体が拡散面６１ａから露出し、拡散面６１ａの表面が凹凸に形成される場合について説明したが、実施の形態６で説明したように、拡散面６１ａの表面を凹凸に形成するのはビーズ状の透明球体に限られるものではなく、バインダー６１ｄにより拡散面６１ａの表面を凹凸に形成してもよい。
【０１３３】
実施の形態１３
上記した実施の形態１２では、実施の形態６における光拡散板６１の構造と、拡散面６１ａを向ける方向とのそれぞれについて詳しく説明した。
【０１３４】
以下に説明する実施の形態１３では、実施の形態６とは異なる光拡散板の構造について説明する。
【０１３５】
図２２は、本発明の実施の形態１３のライト１２の構成を示す断面図である。なお、本実施の形態１３のカメラ付き携帯電話装置１の全体の構成も、他の実施の形態と同様に図１を用いる。
【０１３６】
実施の形態１３と実施の形態６の相違点は、本実施の形態の光拡散板１２１の光拡散面１２１ａの表面が、凹凸でなく平滑である点である。すなわち、図２３に示すように、光拡散板１２１は拡散面１２１ａと平滑面１２１ｂとから構成され、拡散面１２１ａは、気泡または顔料１２１ｃとバインダー１２１ｄとから構成される。上記実施の形態１２では、拡散面の表面は凹凸に形成されていたが、本実施の形態では、拡散面１２１ａの内部に気泡または顔料１２１ｃを混入し、拡散面の表面を平滑にしたものである。なお、他の構成については、実施の形態６と同様である。なお、気泡または顔料ではなく、中空のビーズ状の透明球体を拡散面１２１ａに混入してもよい。
【０１３７】
このように、拡散面１２１ａに気泡または顔料１２１ｃを混入し、発光ダイオードを視認しにくくしつつ、かつ光の透過性を確保できれば、拡散面１２１ａの表面は凹凸でなく平滑であってもよい。
【０１３８】
実施の形態１４
上記した実施の形態１３では、実施の形態６とは異なる光拡散板の構造について説明した。
【０１３９】
以下に説明する実施の形態１４では、さらに実施の形態１３とは異なる光拡散板の構造について説明する。
【０１４０】
図２４は、本発明の実施の形態１４のライト１２の構成を示す断面図である。なお、本実施の形態１４のカメラ付き携帯電話装置１の全体の構成も、他の実施の形態と同様に図１を用いる。
【０１４１】
実施の形態１４と実施の形態１３の相違点は、本実施の形態の光拡散板１３１が基材のみで構成されているである点である。すなわち、図２５に示すように、光拡散板１３１の表面を凹凸形状とし光の拡散作用を確保できれば、実施の形態１３のように、光拡散板を拡散面と平滑面との２層で構成する必要がない。また、図２６に示すように、基材１３１ｂの内部に気泡または顔料１３１ａを混入し、発光ダイオード３２を視認しにくくしてもよい。さらに、気泡または顔料ではなく、中空のビーズ状の透明球体を光拡散板１３１に混入してもよい。また、図２６に示すように、光拡散板１３１に気泡や顔料、中空のビーズ状の透明球体を混入し、光の拡散作用を確保できれば、光拡散板１３１の表面は平滑であってもよい。
【０１４２】
このように、光拡散板１３１の表面を凹凸形状とし光の拡散作用を確保できる場合、または、光拡散板１３１の内部に気泡または顔料１３１ａを混入し、発光ダイオードを視認しにくくしつつ、かつ光の透過性を確保できれば、光拡散板１３１を２層で構成する必要がない。
【０１４３】
また、上記した各実施の形態では、照明装置とカメラ付き携帯電話装置の組み合わせの場合を示したが、本発明に用いられる照明装置はこれに限られるものではなく、例えば、ビデオカメラ装置あるいは入場者監視装置等の他の撮像装置と組み合わせて用いても良い。
【０１４４】
また、カメラの仕様や性能によっては、配光レンズを省略できる。
【図面の簡単な説明】
【０１４５】
【図１】本発明の実施の形態１であるカメラ付き携帯電話装置の外観形状を示す図である。
【図２】図１のライトの構成を示す断面図である。
【図３】本発明の実施の形態２のライトの構成を示す断面図である。
【図４】本発明の実施の形態３のライトの構成を示す断面図である。
【図５】本発明の実施の形態５のライトの構成を示す断面図である。
【図６】本発明の実施の形態６のライトの構成を示す断面図である。
【図７】図６の発光ダイオードが点灯している場合の発光ダイオードから出射した光を示す図である。
【図８】本発明の実施の形態７のライトの構成を示す断面図である。
【図９】本発明の実施の形態８であるカメラ付き携帯電話装置の外観形状を示す図である。
【図１０】本発明の実施の形態９のライトの構成を示す断面図である。
【図１１】本発明の実施の形態９のライトの構成を示す断面図である。
【図１２】実施の形態６の光拡散板における拡散面が被写体側の場合と、実施の形態９の光拡散板における拡散面が光源側の場合の、像高（％：横軸）と照度比（％：縦軸）の関係を示す図である。
【図１３】実施の形態９の像高を説明する図である。
【図１４】本発明の実施の形態１０のライトの構成を示す断面図である。
【図１５】本発明の実施の形態１０のライトの構成を示す断面図である。
【図１６】本発明の実施の形態１１のライトの構成を示す断面図である。
【図１７】図１６の構造体の概略形状の一例を示す斜視図である。
【図１８】本発明の実施の形態１２の拡散板の構成を示す断面図である。
【図１９】本発明の実施の形態１２の拡散板の構成を示す断面図である。
【図２０】本発明の実施の形態１２の拡散板の構成を示す断面図である。
【図２１】本発明の実施の形態１２の拡散板の構成を示す断面図である。
【図２２】本発明の実施の形態１３のライトの構成を示す断面図である。
【図２３】本発明の実施の形態１３の拡散板の構成を示す断面図である。
【図２４】本発明の実施の形態１４のライトの構成を示す断面図である。
【図２５】本発明の実施の形態１４の拡散板の構成を示す断面図である。
【図２６】本発明の実施の形態１４の拡散板の構成を示す断面図である。
【符号の説明】
【０１４６】
１  カメラ付き携帯電話装置、  １１  筐体、  １２  ライト、  １３  カメラ、  １４  ディスプレイ、  １５  入力キー群、  １６  アンテナ、  １７  スピーカ、  １８  マイクロフォン、  １９  外付けライト、  ２０  ジャック部、  ２１  スイッチ、  ３１  回路基板、  ３２  発光ダイオード、  ３３  配光レンズ、  ３４  透明カバー、  ３９  配光レンズ、  ３９ｂ  支持部、  ４１  透明カバー、  ５１  膜状体、  ６１  光拡散板、  ６１ａ  拡散面、  ６１ｂ  平滑面、  ７１、８１、９１  光拡散板、  １０１、１０２  反射面、  １１１  構造体、  １１１ａ  反射面、  １２１、１３１  光拡散板。
【図１】
0003549524.tif 000002
【図２】
0003549524.tif 000003
【図３】
0003549524.tif 000004
【図４】
0003549524.tif 000005
【図５】
0003549524.tif 000006
【図６】
0003549524.tif 000007
【図７】
0003549524.tif 000008
【図８】
0003549524.tif 000009
【図９】
0003549524.tif 000010
【図１０】
0003549524.tif 000011
【図１１】
0003549524.tif 000012
【図１２】
0003549524.tif 000013
【図１３】
0003549524.tif 000014
【図１４】
0003549524.tif 000015
【図１５】
0003549524.tif 000016
【図１６】
0003549524.tif 000017
【図１７】
0003549524.tif 000018
【図１８】
0003549524.tif 000019
【図１９】
0003549524.tif 000020
【図２０】
0003549524.tif 000021
【図２１】
0003549524.tif 000022
【図２２】
0003549524.tif 000023
【図２３】
0003549524.tif 000024
【図２４】
0003549524.tif 000025
【図２５】
0003549524.tif 000026
【図２６】
0003549524.tif 000027